(57)【要約】【課題】  感光体ドラムを製造するに際して、支持体をその外周面全域にわたり均一に乾燥させることができ、しかも、短時間で乾燥させるようにすること。【解決手段】  チャック機構３２で支持体１２の下部内周部を保持し、蓋板２６０２を閉じ支持体収容室２６を閉塞する。次に、チャック機構３２を回転させ支持体１２を回転させる。次に、不図示のヒータ、ポンプを作動させ、熱風供給室２４から熱風を支持体収容室２６に吹き出させる。熱風は整流部材３０を経て支持体収容室２６の側面の全域から均一の速さ、流量で水平に吹き出されることから、各支持体１２は、その軸心の周りに回転しつつ、支持体１２の長手方向と直交する方向から全ての支持体１２の長手方向の全長にわたって同時に均一に熱風が当てられる。熱風は、整流部材３８から排気室２８に排出され、管路２８０２を経て排気室２８外に導かれる。【選択図】        図１
2005265899.tif 000002
【特許請求の範囲】
【請求項１】
筒状の支持体上に感光層を有する感光体ドラムを製造するに際して、前記支持体を乾燥させる乾燥工程を含む感光体ドラムの製造方法において、
前記乾燥工程は、
前記支持体をその軸心の周りに回転させつつ、該支持体の長手方向と交叉する方向から該支持体の長手方向の全長にわたって熱風を流通させることで行なわれる、
ことを特徴とする感光体ドラムの製造方法。
【請求項２】
筒状の支持体上に感光層を有する感光体ドラムを製造するに際して、前記支持体を乾燥させる乾燥工程を含む感光体ドラムの製造方法において、
前記支持体の長手方向と交叉する方向から該支持体の長手方向の全長にわたって熱風を流通させる熱風供給手段が設けられ、
前記乾燥工程は、前記熱風供給手段を前記支持体の外周面の周方向に移動させつつ前記熱風を前記支持体に流通させることで行なわれる、
ことを特徴とする感光体ドラムの製造方法。
【請求項３】
前記支持体はその長手方向が鉛直方向に向けて支持され、前記熱風は前記支持体の長手方向と直交する方向から該支持体に当てられることを特徴とする請求項１または２記載の感光体ドラムの製造方法。
【請求項４】
前記複数の支持体がその長手方向を鉛直方向に向けて支持され、前記熱風は前記各支持体の長手方向と直交する方向から全ての支持体に同時に当てられることを特徴とする請求項１または２記載の感光体ドラムの製造方法。
【請求項５】
前記複数の支持体が、互いに対向する箇所において互いに平行する列をなすように並べられ、各列において支持体はその長手方向を鉛直方向に向けて支持され、前記熱風は前記列が互いに向かい合う箇所とは反対に位置する箇所から、各列の支持体の長手方向と直交する方向から全ての支持体に同時に当てられ、前記列の間の箇所において前記熱風を該箇所の外側に排出するようにしたことを特徴とする請求項１記載の感光体ドラムの製造方法。
【請求項６】
前記支持体の支持は、その内周部が保持されることでなされることを特徴とする請求項３乃至５に何れか１項記載の感光体ドラムの製造方法。
【発明の詳細な説明】
【技術分野】
【０００１】
本発明は感光体ドラムの製造方法に関し、さらに詳細には、感光体ドラムの複数の製造工程のうちの一つである乾燥工程に関する。
【背景技術】
【０００２】
複写機やプリンタなどの電子写真装置に用いられる感光体ドラムは、筒状の支持体と、前記支持体の外周面に形成された感光層などで構成されている。そして、支持体の両端に歯車やフランジなどが取着されることで感光体ドラムユニットが組立てられる。
上記の感光体ドラムは次の工程を経て製造されている。
[機械加工]
まず、アルミビュレットといわれるアルミ製の中実丸棒を熱間押出加工により筒状に成形する。
次に、冷間引き抜き加工により、引き抜き油をかけながら所定内径および所定外径の筒体に成形する。
次に、ノコなどを用い油をかけながら筒体を所定長さに切断する。
次に、切削油をかけながら切削加工を行ない、内径、外径、端面の加工や、歯車などを嵌合するためのインロー加工を行ない、さらに、研磨加工を施すことで、内径、外径、長さ、振れなどについてそれぞれ高い精度を持った筒状の支持体を得る。
[脱脂工程(洗浄工程)]
次に、洗浄剤(脱脂剤)を用いて支持体を洗浄し、支持体の外周面に付着している切削油などの油分や、アルミ粉、塵埃などの異物を取り除き、また、支持体の内周面に付着している引き抜き油や切削油などの油分や、アルミ粉、塵埃などの異物を取り除く。なお、この脱脂工程では、支持体に付着している油分や異物は完全には取り除かれない。
【０００３】
[ブラシ洗浄工程]
次に、支持体の外周面および内周面に対してブラシを用いてブラシ洗浄を行なう。
なお、ブラシ洗浄を行なっても、支持体の外周面および内周面に付着している油分や異物は、分離しやすい状態になるのみであり、支持体の外周面および内周面には依然として油分や異物が付着している。より詳細には、支持体の外周面については、充分な洗浄水をかけつつブラシ洗浄が行なえるため、支持体の外周面から油分や異物は分離しやすい。しかしながら、支持体の外周面には、外周面から分離せずに分離しやすい状態になった油分や異物が依然として残存している。また、支持体の内周面については、充分な洗浄水をかけられないことから油分や異物の大半は支持体の内周面から分離せずに、分離しやすい状態になるのみであり、したがって、支持体の内周面に付着している油分や異物の量は、外周面に付着している油分や異物の量よりも多い。
[水洗い工程(最終洗浄工程)]
次に、純水を用いて洗浄剤や油分や異物を取り除く。この場合、水槽中の純水に支持体を浸漬することで行なわれ、浸漬する際の支持体と水との摩擦力により、分離しやすい状態となって付着している油分や異物が支持体から分離する。また、水槽中に超音波器を設置しておき、支持体に超音波を掛けることでこの分離がより促進される。
[加熱工程]
次に、支持体に熱風を当てて乾燥させる予備乾燥が行なわれ、さらに、支持体に熱風を当てて加熱させる加熱工程が行なわれ、支持体の内外表面に付着された、あるいは吸着された水分を除去する。
[感光層製造工程]
次に、支持体の外周面に必要に応じてアンダーコート液を塗布した後、ディッピング法などの公知の塗布方法により感光層となる塗液を塗布する。
[乾燥工程]
次に、支持体に熱風を当てて乾燥し、この乾燥により支持体の外周面に感光層が形成された感光体ドラムが得られる。
[組立工程]
つぎに、支持体の両端にそれぞれ歯車やフランジを嵌合固定して感光体ドラムユニットが組み立てられ、包装されて出荷される。
【０００４】
一方、感光体ドラムを用いた画像形成装置により高精度な画像を得るためには、支持体の外周面の全域にわたり感光層が均一に形成されていることが必要である。
そして、感光層を均一に形成するための種々の重要な要件のうちの一つに、加熱工程で行なわれる予備乾燥工程や乾燥工程において、支持体をその外周面全域にわたり均一に乾燥させることが挙げられる。
例えば、加熱工程で行なわれる予備乾燥工程において支持体の外周面全域が均一に乾燥されないと、支持体の表面の性状が均一ではなくなり、その後の塗布工程において、塗布ムラが生じてしまう。また、乾燥工程において支持体の外周面全域が均一に乾燥されないと、乾燥パターンが変わり、感光体ドラムの電気特性が変ってしまう。
従来、このような乾燥は、支持体を鉛直方向に向けて支持し、上方から熱風を当てることで行なわれている(例えば、特許文献１参照）。
【特許文献１】特開２００２−２２１７０２号公報
【発明の開示】
【発明が解決しようとする課題】
【０００５】
しかしながら、上方から熱風を当てる方式の従来技術では、支持体の長さが４００ｍｍ程度までは均一に乾燥させることができる場合もあったが、支持体の長さが一定値以上に大きくなると、支持体の上端は既に暖められているのに対して下端はまだ暖められずに冷たいなど、支持体の上端と下端との間に温度差が生じ、支持体の長手方向に沿って均一に乾燥させることができなくなる。
そのため、予備乾燥工程では、支持体の表面の性状が均一ではなくなり、その結果、塗布工程において塗布ムラが生じ、また、乾燥工程では、乾燥パターンが変わり電気特性が変わってしまう不具合が生じる。
また、上方から熱風を当てる方式の従来技術では、支持体の上端から下端に向けて熱風を流すので、すなわち、支持体の長手方向に沿って熱風を流すので、熱風は下方に至るにつれてその温度が下がり、支持体全体を乾燥させるのに時間が掛かる不具合もあった。
本発明は前記事情に鑑み案出されたものであって、本発明の目的は、支持体をその外周面全域にわたり均一に乾燥させることができ、しかも、短時間で乾燥させることができる感光体ドラムの製造方法を提供することにある。
【課題を解決するための手段】
【０００６】
前記目的を達成するため本発明は、筒状の支持体上に感光層を有する感光体ドラムを製造するに際して、前記支持体を乾燥させる乾燥工程を含む感光体ドラムの製造方法において、前記乾燥工程は、前記支持体をその軸心の周りに回転させつつ、該支持体の長手方向と交叉する方向から該支持体の長手方向の全長にわたって熱風を流通させることで行なわれることを特徴とする。
また、本発明は、筒状の支持体上に感光層を有する感光体ドラムを製造するに際して、前記支持体を乾燥させる乾燥工程を含む感光体ドラムの製造方法において、前記支持体の長手方向と交叉する方向から該支持体の長手方向の全長にわたって熱風を流通させる熱風供給手段が設けられ、前記乾燥工程は、前記熱風供給手段を前記支持体の外周面の周方向に移動させつつ前記熱風を前記支持体に流通させることで行なわれることを特徴とする。
【発明の効果】
【０００７】
本発明では、熱風が支持体の長手方向と交叉する方向からその長手方向の全長にわたって流通されることから、従来のように、支持体がその上端から下端へと次第に暖められることはなく、長手方向の全長にわたって同時に均一に暖められる。
また、従来の上方から熱風を当てる方式のように、熱風が下方に至るにつれてその温度が下がり、支持体全体を乾燥させるのに時間が掛かる不具合も解消でき、短時間で乾燥させることができる。
【発明を実施するための最良の形態】
【０００８】
支持体の長手方向と交叉する方向から該支持体の長手方向の全長にわたって熱風を流通させることで上記の目的を達成した。
以下、本発明について詳細に説明するが、以下の説明における例示はあくまでも例として挙げたものであり、本発明はこれらの例示に何ら制限されるものではなく、任意に変更して実施することができる。
【実施例１】
【０００９】
以下、本発明の実施例について図面を参照して説明する。
図２に示すように、電子写真装置に用いられる感光体ドラム１０は、筒状の支持体１２と、支持体１２の外周面に形成された感光層１４などで構成されている。そして、支持体１２の両端に歯車１６Ａやフランジ１６Ｂが取着されことで感光体ドラムユニット１０Ａが組み立てられる。
感光体ドラム１０を製造するに際しては、機械加工された支持体１２について、従来と同様に脱脂工程（洗浄工程）、ブラシ洗浄工程、水洗い工程(最終洗浄工程)、加熱工程、感光層製造工程、乾燥工程、組立工程がなされ、加熱工程における支持体１２の予備乾燥や、乾燥工程における支持体１２の乾燥に本実施例が適用される。
【００１０】
図１は実施例１の乾燥工程を実施するための乾燥装置の概略説明図であり、図１（Ａ）は乾燥装置の断面平面図、図１（Ｂ）は同断面正面図を示す。
乾燥装置２０は８本の支持体１２（あるいは４本ずつの支持体）を同時に乾燥させるようにしたものであり、乾燥装置２０のフレーム２２内には、２つの熱風供給室２４と、２つの支持体収容室２６と、１つの排気室２８とが設けられている。
フレーム２２は平面視した場合に、幅と、幅よりも寸法の大きい長さを有する長方形に設けられている。
２つの熱風供給室２４と、２つの支持体収容室２６と、１つの排気室２８はフレーム２２の長さ方向の全長にわたってそれぞれ延在し、平面視した場合に、前記長方形の各長辺に沿ってそれぞれ熱風供給室２４が設けられ、各熱風供給室２４の内側にそれぞれ支持体収容室２６が設けられ、これら２つの支持体収容室２６の間に排気室２８が設けられ、これら熱風供給室２４、支持体収容室２６、排気室２８はそれぞれ幅と、幅よりも寸法の大きい長さを有する長方形に形成されている。
【００１１】
各熱風供給室２４は、隣接する支持体収容室２６に熱風を吹き出すもので、熱風供給室２４と支持体収容室２６との境の箇所には整流部材３０が設置されている。この整流部材３０は、各熱風供給室２４から熱風を支持体収容室２６の側面の全域にわたり均一の速さ、流量で水平に吹き出させるためのものであり、例えば、プレートに多数の孔が形成されることで構成され、あるいは、網目状の部材などで構成されている。
各熱風供給室２４には、例えば、フィルターなどにより塵埃が取り除かれた清浄な空気がポンプにより管路２４０２を経て送り込まれ、この空気は熱風供給室２４に設けられた不図示のヒータを通過し温度が高められて熱風となる。そして、この熱風は、整流部材２４０４を経て支持体収容室２６の側面の全域にわたり均一の速さ、流量で吹き出される。
【００１２】
各支持体収容室２６の底部には、該支持体収容室２６の長さ方向に間隔をおいて４つのチャック機構３２が配設され、また、各支持体収容室２６の上部には開閉可能に蓋板２６０２が設けられている。
チャック機構３２の下部からはチャック機構３２を回転させるための筒体３４が下方に突設され、この筒体３４の内部にはチャック機構３２を拡縮させるためのロッド３６が配設されている。
チャック機構３２はロッド３６の回転により、あるいは、ロッド３６のその長手方向に沿った往復移動により拡縮するように構成され、チャック機構３２が拡径されると支持体１２の長手方向を鉛直方向に向けた状態で支持体１２の内周面が保持され、また、縮径されると支持体１２の内周面の保持が解除されるように構成されている。このようなチャック機構３２として従来公知の様々な構造を用いることができ、各支持体収容室２６の４つのチャック機構３２のロッド３６は、歯車機構などを含む連結機構により連結され、各支持体収容室２６の４つのチャック機構３２は連結機構を介して同時に拡縮するように構成されている。
また、筒体３４の下端には、例えば、歯車３４０２が取着され、この歯車３４０２の回転により筒体３４が回転され、これによりチャック機構３２が回転されるように構成されている。各支持体収容室２６の４つのチャック機構３２の筒体３４の歯車３４０２は、歯車機構などを含む連結機構により連結され、各支持体収容室２６の４つのチャック機構３２は連結機構を介して同時に同一の方向に同速度で回転されるように構成されている。
【００１３】
２つの支持体収容室２６と排気室２８との境の部分には、整流部材３８が設置されている。この整流部材３８は、支持体収容室２６からの熱風が支持体収容室２６の側面の全域から均一の速さ、流量で排気室２８内に水平に排出されるようにしたものであり、例えば、プレートに多数の孔が形成されることで構成され、あるいは、網目状の部材などで構成されている。
支持体収容室２６から排気された熱風は排気室２８内に導かれた後、本実施例では、管路２８０２を介して排気室２８の下方に導かれ、その後、フィルターなどにより塵埃が取り除かれ、清浄な空気としてポンプにより再度管路２４０２を経て支持体収容室２６へ送り込まれ、このようにして乾燥装置２０内で循環して用いられ、あるいは、管路２８０２を介して乾燥装置２０の外部に排出される。
【００１４】
次に、乾燥装置２０を用いた支持体１２の乾燥工程について説明する。
まず、チャック機構３２を縮径しておき、蓋板２６０２を開いて各支持体収容室２６に上方から支持体１２を挿入し、支持体１２の下部にチャック機構３２を挿入する。なお、この支持体１２の支持体収容室２６への挿入は、例えば、支持体１２の上部内周部を保持したチャック機構などを用いて行なわれる。
支持体１２の下部にチャック機構３２が挿入されたならば、ロッド３６を介してチャック機構３２を拡径して支持体１２の下部内周部を保持し、支持体１２の上部内周部を保持していたチャック機構を縮径し、支持体収容室２６の上方へ移動させ、蓋板２６０２を閉じ、支持体収容室２６を閉塞する。
【００１５】
次に、筒体３４を介してチャック機構３２を回転させ、支持体１２を回転させる。
次に、不図示のヒータ、ポンプを作動させ、熱風供給室２４から熱風を支持体収容室２６に吹き出させる。
熱風は整流部材３０を経て支持体収容室２６の側面の全域から均一の速さ、流量で水平に吹き出されることから、熱風が支持体１２の長手方向と直交する方向からその長手方向の全長にわたって流通される。そして、各支持体１２は、その軸心の周りに回転しつつ、支持体１２の長手方向と直交する方向から全ての支持体１２の長手方向の全長にわたって同時に均一に熱風が当てられることになる。
熱風供給室２４から支持体収容室２６に吹き出された熱風は、支持体１２に当たったのち整流部材３８に至り、あるいは、隣り合う支持体１２の間を通過して整流部材３８に至り、整流部材３８から排気室２８に排出され、管路２８０２を経て排気室２８外に導かれる。
【００１６】
本実施例によれば、熱風が、その軸心の周りに回転する支持体１２の長手方向と直交する方向からその長手方向の全長にわたって流通されることから、従来のように、支持体１２がその上端から下端へと次第に暖められることはなく、長手方向の全長にわたって同時に均一に暖められることになる。
したがって、本発明の製造方法は、支持体１２の全長が大きくなった場合でも、支持体１２の上端と下端との間に温度差が生じることはなく、支持体１２の長手方向の全長にわたり均一に乾燥させることができ、通常、３００ｍｍを超えるような支持体１２を乾燥させる場合に好適であり、より好ましくは、４００ｍｍを超えるような支持体１２を乾燥させる場合に適用され、特に好ましくは、７００ｍｍを超えるような支持体１２を乾燥させる場合に用いられる。
これにより、予備乾燥工程において、支持体の表面の性状が均一ではなくなり、その結果、塗布工程において塗布ムラが生じるなどの不具合や、また、乾燥工程において、乾燥パターンが変わり電気特性が変わってしまうなどの不具合を防止でき、支持体１２の表面に感光層１４を均一に高い精度で形成する上で極めて有利となる。
また、熱風が、その軸心の周りに回転する支持体１２の長手方向と直交する方向からその長手方向の全長にわたって均一に当てられることから、従来の上方から熱風を当てる方式のように、熱風が下方に至るにつれてその温度が下がり、支持体全体を乾燥させるのに時間が掛かる不具合も解消でき、短時間で乾燥させることが可能となる。
【００１７】
また、実施例のように、４本の支持体１２が、互いに対向する箇所（支持体収容室２６）において互いに平行する列をなすようにそれらの長手方向を鉛直方向に向けて並べ、熱風を前記列が互いに向かい合う箇所とは反対に位置する箇所（熱風供給室２４）から、各列の支持体１２の長手方向と直交する方向から全ての支持体に同時に当て、前記列の間の箇所（排気室２８）において熱風を該箇所（排気室２８）の外側に排出するようにすると、２列の支持体１２に当てる熱風の排出箇所（排気室２８）を共通化でき、複数本の支持体１２の乾燥を小スペースで行なう上で有利となる。
【００１８】
なお、上記の実施例では、支持体１２を回転させつつ熱風を当てるようにしたが、支持体１２を静止させておき熱風の供給箇所（熱風供給室２４）を回転させるようにしてもよい。
また、支持体１２に熱風を当てる角度は直角に限定されず、支持体１２の長手方向と交叉する方向からであればよいが、乾燥効率を高める上では直角の場合が、すなわち、支持体１２の長手方向と直交する方向から支持体１２に熱風を当てる場合が最も有利である。
また、乾燥時の支持体１２の向きは、その長手方向が鉛直方向に向いている場合に限定されず、水平方向などその他の方向を向いていてもよい。
【図面の簡単な説明】
【００１９】
【図１】実施例１を実施するための装置の説明図である。
【図２】感光体ドラムの説明図である。
【符号の説明】
【００２０】
１０……感光体ドラム、１２……支持体、２０……乾燥装置、２４……熱風供給室、２６……支持体収容室、２８……排気室、３２……チャック機構。
【図１】
2005265899.tif 000003
【図２】
2005265899.tif 000004